(57)【要約】      （修正有）【課題】手でモップぎれを絞る水切り作業が不要であると共に、壊れにくい強固な構成を有する洗浄用脱水バケツを提供する。【解決手段】第１収容空間１１２と第２収容空間１１３とを有するバケツ本体１１と、前記第１収容空間に設置され、側壁及び底部に形成される複数の孔２１１と、上方へ凸出される回転軸２２とを有する保持バスケット２１と、該保持バスケットの内部に回転可能に取り付けられ、回転軸を挿設させる凹入部と、側壁及び底部に形成される複数の水切り孔３１１とを有する回転バスケット３１と、バケツ本体の内部における第２収容空間の底部に固定され、上表面に形成される複数の突起部材４２と、前記上表面の中心部に形成される中心凸出軸４３を有する洗浄ディスク４１とを有する。【選択図】図２
0003167294.tif 000002
【実用新案登録請求の範囲】
【請求項１】
内周面と、上縁を有する側壁と、開口を有する第１収容空間と、前記第１収容空間に連通され、開口と底部とを有する第２収容空間とを有するバケツ本体と、
前記第１収容空間に設置され、内周面と、外縁を有する上部と、中心部を有する底部と、前記側壁及び底部に形成される複数の孔と、前記底部の中心部に固定されると共に、上方へ凸出される回転軸とを有する保持バスケットと、
前記保持バスケットの内部に回転可能に取り付けられ、開口と、内周面と、側壁と、中心部を有する底部と、前記底部の中心部に形成され、前記回転軸を挿設させる凹入部と、前記側壁及び底部に形成される複数の水切り孔とを有する回転バスケットと、
前記バケツ本体の内部における第２収容空間の底部に固定され、中心部を有する上表面と、前記上表面に形成される複数の突起部材と、前記上表面の中心部に形成される中心凸出軸とを有する洗浄ディスクとを有することを特徴とする洗浄用脱水バケツ。
【請求項２】
前記保持バスケットの側壁に、複数の孔が形成され、この保持バスケットの側壁に形成される複数の孔は、夫々上縁を有し、
前記保持バスケットは、前記保持バスケットの内周面における、前記保持バスケットの側壁に形成される複数の孔の上縁に夫々形成される複数の水除けプレートを有し、
前記複数の水除けプレートは、回転バスケットから遠心力により吹き飛ばされた水を前記孔から排出させるように阻止することができるように同方向へ傾斜されるものであることを特徴とする請求項１に記載の洗浄用脱水バケツ。
【請求項３】
前記保持バスケットの上部の外縁には、径方向へ延出され、前記バケツ本体の側壁の上縁における前記第１収容空間に対応する箇所に係合されるための折り返し部が形成されることを特徴とする請求項１又は請求項２に記載の洗浄用脱水バケツ。
【請求項４】
前記回転バスケットの底部の中心部には、上方へ凸出される１つの凸出ブロックが形成され、
前記回転バスケットの内周面には、複数の凸出プレートが形成され、
各前記凸出プレートは、前記回転バスケットの底部から前記回転バスケットの上部まで延設され、
各前記凸出プレートは、平面状を呈する上端を有することを特徴とする請求項１ないし請求項３のいずれか１項に記載の洗浄用脱水バケツ。
【請求項５】
前記バケツ本体の内周面において前記第１収容空間と第２収容空間との間に２本の境界線が形成され、
前記バケツ本体の内周面には、各境界線に沿って１つのリブが形成され、
前記洗浄ディスクには、前記２つのリブに夫々対応し係止される２つの係止ブロックが形成され、
各係止ブロックには、前記リブに接触するための弧状部が形成されることを特徴とする請求項１ないし請求項４のいずれか１項に記載の洗浄用脱水バケツ。
【請求項６】
前記複数の突起部材は、前記中心凸出軸を中心とし、前記洗浄ディスクの上表面に放射状に配設され、
各前記突起部材は、細長いプレート状を呈し、両端と、鋸歯状を呈する上部とを有し、
各前記突起部材の一端は、前記中心凸出軸に連結されることを特徴とする請求項１ないし請求項５のいずれか１項に記載の洗浄用脱水バケツ。
【請求項７】
前記洗浄ディスクの中心凸出軸は、上端と、前記上端に形成される円形挿設部と、前記円形挿設部に挿設される上円柱とを有することを特徴とする請求項１ないし請求項６のいずれか１項に記載の洗浄用脱水バケツ。
【請求項８】
前記バケツ本体は、前記バケツ本体の側壁の上縁における前記２つのリブに対応する箇所に枢設される１つの取っ手と、前記バケツ本体の側壁の上縁における前記第２収容空間に対応する箇所に取り付けられるモップ保持部材とを有し、
前記取っ手は、中間部を有する外表面と、前記外表面の中間部に形成される滑り止め部とを有することを特徴とする請求項１ないし請求項７のいずれか１項に記載の洗浄用脱水バケツ。
【請求項９】
前記第１収容空間の開口は円弧状を呈するものであり、前記第２収容空間の開口は円弧状を呈するものであることを特徴とする請求項１ないし請求項８のいずれか１項に記載の洗浄用脱水バケツ。
【考案の詳細な説明】
【技術分野】
【０００１】
本考案は、特に回転式モップに対応し、手でモップぎれを絞る水切り作業が不要であると共に、壊れにくい強固な構成を有する洗浄用脱水バケツに関するものである。
【背景技術】
【０００２】
モップは室内掃除をする時に不可欠な道具である。使用時、水を入れたバケツを用意し、掃除で汚れたモップを洗浄し、手でモップのモップぎれを絞り、水切り作業を行わなくてはならない。しかしながら、モップの水切り手作業は、非常に好ましくない労働作業であるのみならず、過敏体質の使用者に対しては過敏反応の原因となる場合があった。
【０００３】
図６及び図７に示すように、前記問題を解決するための従来の脱水バケツは、バケツ本体７１と、脱水バスケット８１とを有する。前記バケツ本体７１は、上方へ向かう開口と、底部と、前記底部に形成され、上部を有する突起部７２と、前記突起部７２の上部に固定される回転軸７３とを有する。
【０００４】
前記脱水バスケット８１は、前記バケツ本体７１の内部に設置され、円形の桶状を呈し、上方へ向かう開口と、側壁と、底部と、前記側壁及び底部に形成される複数の孔８１１と、前記底部に形成され、前記脱水バスケット８１を前記バケツ本体７１に対して回転できるように前記回転軸７３を保持する回転孔８２とを有するものである。
【０００５】
また、例えば特許文献１に示すようなシャフトの上下方向における伸縮の変位量でモップぎれ部を回転させることができる回転モップと併用すれば、該モップぎれ部を前記脱水バスケット８１に収容させて回転させると、遠心力で該モップぎれ部に取り付けられるモップぎれの水を吹き飛ばすと共に、前記脱水バスケット８１の側壁及び底部に形成される複数の孔８１１から吹き飛ばされた水を前記バケツ本体７１の内部に収集することができるので、手を濡らすことなく回転モップの水切りができる。
【先行技術文献】
【特許文献】
【０００６】
【特許文献１】台湾実用新案登録M368410
【考案の概要】
【考案が解決しようとする課題】
【０００７】
しかしながら、前記した従来の脱水バケツでは回転モップの水切りを行うことができるが、モップぎれを洗浄することができないので、モップぎれを確実に洗浄するためには、前記従来の脱水バケツと併用しても、モップぎれを手洗いしなくてはならなかった。
【０００８】
また、シャフトを上下方向に沿って伸縮させ、モップぎれ部を回転させて脱水を行う時、使用者がシャフトに力を加える方向は、常に前記回転軸７３の長手方向と一致しないことが前記回転軸７３の破損、故障の原因となってしまうといった問題があった。
【０００９】
そこで、考案されたのが本考案であって、洗浄機能及び強固な構成を有する洗浄用脱水バケツを提供することを目的としている。
【課題を解決するための手段】
【００１０】
本願の請求項１の考案は、内周面と、上縁を有する側壁と、開口を有する第１収容空間と、前記第１収容空間に連通され、開口と底部とを有する第２収容空間とを有するバケツ本体と、
前記第１収容空間に設置され、内周面と、外縁を有する上部と、中心部を有する底部と、前記側壁及び底部に形成される複数の孔と、前記底部の中心部に固定されると共に、上方へ凸出される回転軸とを有する保持バスケットと、
前記保持バスケットの内部に回転可能に取り付けられ、開口と、内周面と、側壁と、中心部を有する底部と、前記底部の中心部に形成され、前記回転軸を挿設させる凹入部と、前記側壁及び底部に形成される複数の水切り孔とを有する回転バスケットと、
前記バケツ本体の内部における第２収容空間の底部に固定され、中心部を有する上表面と、前記上表面に形成される複数の突起部材と、前記上表面の中心部に形成される中心凸出軸とを有する洗浄ディスクとを有することを特徴とする洗浄用脱水バケツ、を提供する。
【００１１】
本願の請求項２の考案は、前記保持バスケットの側壁に、複数の孔が形成され、この保持バスケットの側壁に形成される複数の孔は、夫々上縁を有し、
前記保持バスケットは、前記保持バスケットの内周面における、前記保持バスケットの側壁に形成される複数の孔の上縁に夫々形成される複数の水除けプレートを有し、
前記複数の水除けプレートは、回転バスケットから遠心力により吹き飛ばされた水を前記孔から排出させるように阻止することができるように同方向へ傾斜されるものであることを特徴とする請求項１に記載の洗浄用脱水バケツ、を提供する。
【００１２】
本願の請求項３の考案は、前記保持バスケットの上部の外縁には、径方向へ延出され、前記バケツ本体の側壁の上縁における前記第１収容空間に対応する箇所に係合されるための折り返し部が形成されることを特徴とする請求項１又は請求項２に記載の洗浄用脱水バケツ、を提供する。
【００１３】
本願の請求項４の考案は、前記回転バスケットの底部の中心部には、上方へ凸出される１つの凸出ブロックが形成され、
前記回転バスケットの内周面には、複数の凸出プレートが形成され、
各前記凸出プレートは、前記回転バスケットの底部から前記回転バスケットの上部まで延設され、
各前記凸出プレートは、平面状を呈する上端を有することを特徴とする請求項１ないし請求項３のいずれか１項に記載の洗浄用脱水バケツ、を提供する。
【００１４】
本願の請求項５の考案は、前記バケツ本体の内周面において前記第１収容空間と第２収容空間との間に２本の境界線が形成され、
前記バケツ本体の内周面には、各境界線に沿って１つのリブが形成され、
前記洗浄ディスクには、前記２つのリブに夫々対応し係止される２つの係止ブロックが形成され、
各係止ブロックには、前記リブに接触するための弧状部が形成されることを特徴とする請求項１ないし請求項４のいずれか１項に記載の洗浄用脱水バケツ、を提供する。
【００１５】
本願の請求項６の考案は、前記複数の突起部材は、前記中心凸出軸を中心とし、前記洗浄ディスクの上表面に放射状に配設され、
各前記突起部材は、細長いプレート状を呈し、両端と、鋸歯状を呈する上部とを有し、
各前記突起部材の一端は、前記中心凸出軸に連結されることを特徴とする請求項１ないし請求項５のいずれか１項に記載の洗浄用脱水バケツ、を提供する。
【００１６】
本願の請求項７の考案は、前記洗浄ディスクの中心凸出軸は、上端と、前記上端に形成される円形挿設部と、前記円形挿設部に挿設される上円柱とを有することを特徴とする請求項１ないし請求項６のいずれか１項に記載の洗浄用脱水バケツ、を提供する。
【００１７】
本願の請求項８の考案は、前記バケツ本体は、前記バケツ本体の側壁の上縁における前記２つのリブに対応する箇所に枢設される１つの取っ手と、前記バケツ本体の側壁の上縁における前記第２収容空間に対応する箇所に取り付けられるモップ保持部材とを有し、
前記取っ手は、中間部を有する外表面と、前記外表面の中間部に形成される滑り止め部とを有することを特徴とする請求項１ないし請求項７のいずれか１項に記載の洗浄用脱水バケツ、を提供する。
【００１８】
本願の請求項９の考案は、前記第１収容空間の開口は円弧状を呈するものであり、
前記第２収容空間の開口は円弧状を呈するものであることを特徴とする請求項１ないし請求項８のいずれか１項に記載の洗浄用脱水バケツ、を提供する。
【考案の効果】
【００１９】
本考案は上記の課題を解決するものであり、回転可能なモップぎれ部を有する回転モップを洗浄する時、該モップぎれ部を前記洗浄ディスクの中心凸出軸で回転軸を枢支するように、前記洗浄ディスクに置いて回転させると、モップぎれ部に取り付けられるモップぎれと洗浄ディスクの複数の突起部材とが摩擦されて、モップぎれを洗浄できるといった効果を発揮する。
【００２０】
また、モップぎれの洗浄を完成した前記回転モップのモップぎれ部をさらに前記回転バスケットに収容し回転させると、前記モップぎれ部と前記回転バスケットとが連動し回転するので、遠心力によりモップぎれの水を前記回転バスケットの側壁及び底部に形成される複数の水切り孔、並びに前記保持バスケットの側壁及び底部に形成される複数の孔から吹き飛ばし、前記バケツ本体の内部に吹き飛ばされた水収集できる。
【００２１】
本考案に係る洗浄用脱水バケツは上述した構成を有するので、洗浄効果及び脱水効果を提供することができる。
【００２２】
なお、前記回転バスケットは前記保持バスケットに取り付けられるものであるので、使用者が回転モップのシャフトを傾斜状態で使用しても、前記保持バスケットの制限により、前記回転バスケットの過度な傾斜を避けるだけでなく、前記保持バスケットと前記回転バスケットは前記回転モップを支持する力を分担するので、前記回転軸の破損を防ぐことができる。
【００２３】
さらに、前記保持バスケットの内周面には、前記回転バスケットの回転方向に対応し、同方向へ傾斜される複数の水除けプレートが形成され、この前記複数の水除けプレートは、回転バスケットから遠心力により吹き飛ばされた水を阻止し前記孔からバケツ本体の内部へ排出させる。
【図面の簡単な説明】
【００２４】
【図１】本考案に係る洗浄用脱水バケツの斜視図である。
【図２】本考案に係る洗浄用脱水バケツの分解斜視図である。
【図３】本考案に係る洗浄用脱水バケツの保持バスケットの側面断面図である。
【図４】本考案に係る洗浄用脱水バケツの部分平面断面図である。
【図５】本考案に係る洗浄用脱水バケツの部分側面断面図である。
【図６】本考案に係る洗浄用脱水バケツの側面断面図である。
【図７】従来の脱水バケツの分解斜視図である。
【図８】従来の脱水バケツの側面断面図である。
【考案を実施するための形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１ないし図４及び図６に示すように、本考案に係る洗浄用脱水バケツは、バケツ本体１１と、保持バスケット２１と、回転バスケット３１と、洗浄ディスク４１とを有する。
【００２７】
前記バケツ本体１１は、内周面と、上縁を有する側壁と、開口を有する第１収容空間１１２と、前記第１収容空間１１２に連通され、開口と底部とを有する第２収容空間１１３とを有する。
【００２８】
本実施例において、前記第１収容空間１１２の開口は円弧状を呈するものであり、前記第２収容空間１１３の開口は円弧状を呈するものであるので、前記バケツ本体１１の側壁の上縁に、８字状の開口が形成される。また、前記バケツ本体１１の内周面において前記第１収容空間１１２と第２収容空間１１３との間に２本の境界線が形成されると共に、前記バケツ本体１１の内周面には、各境界線に沿って１つのリブ１１４が形成される。
【００２９】
なお、前記バケツ本体１１はさらに、前記バケツ本体１１の側壁の上縁における前記２つのリブ１１４に対応する箇所に枢設される１つの取っ手１２と、前記バケツ本体１１の側壁の上縁における前記第２収容空間１１３に対応する箇所に取り付けられるモップ保持部材１３とを有する。前記取っ手１２は、中間部を有する外表面と、滑り止め部１２１とを有する。該滑り止め部１２１は前記外表面の中間部、即ち前記取っ手１２における一般に言う握持部またはグリップ部に形成されるものである。
前記モップ保持部材１３は前記第２収容空間１１３に収容されるモップのシャフトを保持することができる。
【００３０】
前記保持バスケット２１は、前記第１収容空間１１２に設置され、内周面と、外縁を有する上部と、中心部を有する底部と、前記側壁及び底部に形成される複数の孔２１１と、前記底部の中心部に固定されると共に、上方へ凸出される回転軸２２とを有する。前記回転軸２２は球状の上部を有する。前記保持バスケット２１の側壁に形成される孔２１１は、前記バケツ本体１１の内周面における第１収容空間１１２に対応する部分に向かう方向に沿って穿設されるものである。
【００３１】
本実施例において、前記保持バスケット２１の側壁に、複数の孔２１１が形成され、この保持バスケット２１の側壁に形成される複数の孔２１１は、夫々上縁を有する。
また、前記保持バスケット２１は、前記保持バスケット２１の内周面における、前記保持バスケット２１の側壁に形成される複数の孔２１１の上縁に夫々形成される複数の水除けプレート２３を有する。前記複数の水除けプレート２３は、同方向へ傾斜されるものである。
【００３２】
前記回転バスケット３１は、前記保持バスケット２１の内部に回転可能に取り付けられ、開口と、内周面と、側壁と、中心部を有する底部と、前記底部の中心部に形成され、前記回転軸２２を挿設させる凹入部３３と、前記側壁及び底部に形成される複数の水切り孔３１１とを有する。
【００３３】
本実施例において、前記回転バスケット３１の底部の中心部に、上方へ凸出される１つの凸出ブロック３２が形成されると共に、前記回転バスケット３１の内周面に、複数の凸出プレート３１２が形成される。各前記凸出プレート３１２は、前記回転バスケット３１の底部から前記回転バスケット３１の上部まで延設される。また、各前記凸出プレート３１２は、平面状を呈する上端を有する。
【００３４】
なお、前記複数の水除けプレート２３は、回転バスケット３１から遠心力により吹き飛ばされた水を前記孔２２１から排出させるように阻止することに好適な方向へ傾斜される。
【００３５】
前記洗浄ディスク４１は、前記バケツ本体１１の内部における第２収容空間１１３の底部に固定され、中心部を有する上表面と、前記上表面に形成される複数の突起部材４２と、前記上表面の中心部に形成される中心凸出軸４３とを有する。
【００３６】
本実施例においては、前記洗浄ディスク４１に、前記２つのリブ１１４に夫々対応し係止される２つの係止ブロック４４が形成されると共に、各係止ブロック４４に、前記リブ１１４に接触するための弧状部４４１が形成される。これにより、前記洗浄ディスク４１を回転不能に前記第２収容空間１１３の底部に固定させることができる。
【００３７】
また、前記複数の突起部材４２は、前記中心凸出軸４３を中心とし、前記洗浄ディスク４１の上表面に放射状に配設される。各前記突起部材４２は、細長いプレート状を呈し、両端と、鋸歯状を呈する上部とを有する。各前記突起部材４２の一端は、前記中心凸出軸４３に連結される。
【００３８】
図５に示すように、本考案に係る洗浄用脱水バケツは、回転可能なモップぎれ部５１を有する回転モップ５０と併用することができる。前記回転モップ５０は、上下方向に沿って伸縮させることができるシャフトと、前記シャフトの伸縮により駆動され回転可能なモップぎれ部５１と、前記モップぎれ部５１に取り付けられる複数のモップぎれ５１１とを備える。
【００３９】
前記回転モップ５０のモップぎれ部５１を前記洗浄ディスク４１に置き、前記モップぎれ５１１を前記洗浄ディスク４１の複数の突起部材４２に配置し、前記モップぎれ部５１を前記中心凸出軸４３で枢支し回転させると、前記モップぎれ５１１と前記複数の突起部材４２とを摩擦させ、前記モップぎれ５１１の汚れを落とし、洗浄効果を発揮する。また、前記モップぎれ部５１と前記モップぎれ部５１を枢支する前記中心凸出軸４３とは単一箇所で接触するので、前記モップぎれ部５１と前記中心凸出軸４３との摩擦を最小化にし、省力的に前記モップぎれ部５１を回転させ、好適な洗浄効果を得ることができる。
【００４０】
さらに図６に示すように、前記回転モップ５０の脱水をする時には、前記回転モップ５０のモップぎれ部５１を前記回転バスケット３１に収容させ、前記モップぎれ部５１を前記凸出ブロック３２へ押圧し、前記モップぎれ部５１のモップぎれ５１１を水除プレート２３以下の高度に制限させる。またこの前記モップぎれ５１１が前記複数の凸出プレート３１２で保持されているので、前記モップぎれ部５１を回転させると、前記モップぎれ５１１と前記複数の凸出プレート３１２との間に強力な摩擦力が発生し、前記回転バスケット３１を連動し回転させ、遠心力で前記モップぎれ５１１の水を吹き飛ばす。吹き飛ばされる水は、前記回転バスケット３１の複数の水切り孔３１１並びに前記保持バスケット２１の側壁及び底部に形成される複数の孔２１１から噴出され、前記バケツ本体１１の内部に収集される。
【００４１】
前記回転バスケット３１は前記保持バスケット２１に保持される。また、前記保持バスケット２１の側壁に形成される孔２１１は、前記バケツ本体１１の内周面における第１収容空間１１２に対応する部分に向かう方向に沿って穿設されるものであるので、該孔２１１から噴出され水がバケツ本体１１の外部へ飛ばされることを防止することができる。
【００４２】
また、前記回転モップ５０のシャフトを多少傾斜させて力を加えても、前記保持バスケット２１の側壁と底部は前記回転バスケット３１を過度に傾斜させないように保持し、前記回転モップ５０を分担する。
【産業上の利用可能性】
【００４３】
本考案は上記の構成を有するので、本考案に係る洗浄用脱水バケツを利用し、手でモップぎれを揉まなくても、回転モップのモップぎれ部を回転させることにより簡単に洗浄及び脱水作業を行う事ができる。また、本考案に係る洗浄用脱水バケツの保持バスケットの構成により、回転軸の破損を防止することができる。
【符号の説明】
【００４４】
１１２          第１収容空間
１１３          第２収容空間
１１４          リブ
１１            バケツ本体
１２１          滑り止め部
１２            取っ手
１３            モップ保持部材
２１１          孔
２１            保持バスケット
２２１          孔
２２            回転軸
２３            水除プレート
２４            折り返し部
３１１          水切り孔
３１２          凸出プレート
３１            回転バスケット
３２            凸出ブロック
３３            凹入部
４１            洗浄ディスク
４２            突起部材
４３１          円形挿設部
４３２          上円柱
４３            中心凸出軸
４４１          弧状部
４４            係止ブロック
５０            回転モップ
５１１          モップぎれ
５１            モップぎれ部
７１            バケツ本体
７２            突起部
７３            回転軸
８１１          孔
８１            脱水バスケット
８２            回転孔
【図１】
0003167294.tif 000003
【図２】
0003167294.tif 000004
【図３】
0003167294.tif 000005
【図４】
0003167294.tif 000006
【図５】
0003167294.tif 000007
【図６】
0003167294.tif 000008
【図７】
0003167294.tif 000009
【図８】
0003167294.tif 000010